(57)【要約】      （修正有）【課題】機能統合と良好な洗浄効果という長所を備えた、超音波洗顔器を提供する。【解決手段】ケース体と、ケース体内に設けられた超音波スプレーと、ケース体６０と結合されるとともに一部がケース体６０外に延伸した超音波振動ヘラ２０と、ケース体６０内に設けられるとともに超音波スプレー及び超音波振動ヘラ２０と接続されて高周波振動信号を生じる電子回路基板と、ケース体６０上に設けられるとともに電子回路基板と電気的に接続された押しボタン４０と、ケース体６０内に設けられるとともに電子回路基板と電気的に接続されて作動に必要な電力を供給する電源とからなる。以上の構造によって二種類の洗顔方法を組合わせることにより、使用者は、スプレー方式で顔を洗浄したり、ヘラによって物理的に顔の汚れを擦り落としたりすることができる。【選択図】図２
0003197159.tif 000002
【実用新案登録請求の範囲】
【請求項１】
ケース体と、超音波スプレーと、超音波振動ヘラと、電子回路基板と、押しボタンと、電源とからなる超音波洗顔器であって、
前記超音波スプレーは、前記ケース体内に設けられるとともに、前記超音波スプレーのスプレー口は前記ケース体の表面に位置し、
前記超音波振動ヘラは、前記ケース体と結合されるとともに一部が前記ケース体外に延伸し、
前記電子回路基板は、前記ケース体内に設けられるとともに、前記電子回路基板の出力端は前記超音波スプレー及び前記超音波振動ヘラと接続されて高周波振動信号を生じ、
前記押しボタンは、前記ケース体上に設けられるとともに、前記超音波スプレー及び前記超音波振動ヘラの作動のオンオフを制御するために前記電子回路基板と電気的に接続され、
前記電源は、前記ケース体内に設けられるとともに、前記電子回路基板と電気的に接続され、且つ作動に必要な電力を供給することを特徴とする、超音波洗顔器の構造。
【請求項２】
前記ケース体内には、水タンクが設けられ、
前記水タンクの底部開口には、漏れ止め効果を向上させるための第一密封リングが設けられ、
更に前記水タンクの頂部開口には、前記頂部開口を密封するための密封カバーが設けられ、
前記第一密封リング内には、霧化部品が嵌められ、
前記霧化部品は、前記水タンクの底部端口に設けられるとともに、前記電子回路基板の出力端と電気的に接続されることを特徴とする、請求項１に記載の超音波洗顔器。
【請求項３】
前記ケース体は、底ケースと、電気めっきケースと、上蓋と、水タンク蓋とからなり、
前記底ケースと前記電気めっきケースは、前記洗顔器の内部スペースを形成し、
前記超音波スプレー・前記超音波振動ヘラ・前記電子回路基板・前記電源は、いずれも前記内部スペースに設けられ
前記上蓋は、前記電気めっきケース上に貼合されるとともに、前記上蓋の一側にはスプレー口が設けられ、
前記スプレー口は、前記霧化部品の位置と対応し、
前記電気めっきケースは、前記スプレー口及び前記霧化部品と対応する位置に通孔が設けられ、
前記通孔からは、霧化した液体がスプレー噴射され、
前記水タンク蓋は、前記底ケースにおける端口に設けられるとともに、前記密封カバーの位置と対応し、
前記密封カバーは、外側に第二密封リングが嵌められ、
前記押しボタンは、前記底ケース上に設けられることを特徴とする、請求項２に記載の超音波洗顔器。
【請求項４】
前記超音波振動ヘラは、前記ケース体内に設けられ、
更に前記超音波振動ヘラは、前記電子回路基板の出力端と電気的に接続された複数の振動部品と、前記振動部品と固定されるとともに一部が前記ケース体外に延伸したヘラ部品とからなることを特徴とする、請求項１に記載の超音波洗顔器。
【請求項５】
前記電源は、充電池であり、
前記電子回路基板には、充電接続口が設けられ、
前記ケース体は、前記充電接続口と対応する位置に開口が設けられることを特徴とする、請求項１に記載の超音波洗顔器。
【考案の詳細な説明】
【技術分野】
【０００１】
本考案は、超音波洗顔器に関し、特に機能統合型で良好な洗浄効果を備えた、超音波洗顔器に関する。
【背景技術】
【０００２】
従来の超音波洗顔器は、機能面から以下の二種類に分けられる。一つは、スプレー機能による超音波スプレーであり、もう一つは、超音波振動ヘラを備えた洗顔器である。具体的には、いずれも固有の長所があり、簡単に汚れを落とすことができるだけでなく、優れた美容効果も備えている。また適度な刺激により、顔の血液循環を促進することができるため、マッサージによる健康効果も得られる。
【０００３】
しかし上述した二種類の洗顔器は、それぞれ単一の長所しか備えておらず、超音波スプレーは超音波による洗浄を重視しており、洗顔器はヘラによって顔の毛穴や表皮の汚れを物理的に擦り落とすだけである。現在、これらの二種類の方法を組合せた洗顔器はない。
【考案の概要】
【考案が解決しようとする課題】
【０００４】
そこで、本考案は、スプレーと物理手段による擦り落としという洗顔方法を組合せた、超音波洗顔器を提供することを目的とする。
【課題を解決するための手段】
【０００５】
上述の目的を達成するため、本考案は、ケース体と、超音波スプレーと、超音波振動ヘラと、電子回路基板と、押しボタンと、電源とからなる。超音波スプレーは、ケース体内に設けられるとともに、スプレー口がケース体の表面に位置する。超音波振動ヘラは、ケース体と結合されるとともに一部がケース体の外に延伸する。電子回路基板は、ケース体内に設けられるとともに、電子回路基板の出力端は超音波スプレー及び超音波振動ヘラと接続されて高周波振動信号を生じる。押しボタンは、ケース体上に設けられるとともに、電子回路基板と電気的に接続され、且つ超音波スプレー及び超音波振動ヘラの作動のオンオフを制御する。電源は、ケース体内に設けられるとともに、電子回路基板と電気的に接続され、且つ作動に必要な電力を供給する。
【考案の効果】
【０００６】
以上の構造によってなる本考案は、顔の洗浄を行う時、超音波スプレーを作動させてスプレー洗顔を行うか、或いは超音波振動ヘラによって顔の毛穴や表面上に残った汚れを物理的に擦り落とすか、或いは二種類の方法を相前後して行うことができるため、機能統合と良好な洗浄効果という長所を備える。
【図面の簡単な説明】
【０００７】
【図１】本考案の実施例における構造を示したブロック図である。
【図２】本考案の実施例を示した斜視図である。
【図３】本考案の実施例を別の角度から示した斜視図である。
【図４】本考案の実施例を示した分解図である。
【図５】本考案の霧化部品を示した斜視図である。
【考案を実施するための形態】
【０００８】
本考案の実施例について、図１（構造を示したブロック図）から図５（霧化部品を示した斜視図）までを参照する。本考案は、ケース体６０と、超音波スプレー１０と、超音波振動ヘラ２０と、電子回路基板３０と、押しボタン４０と、電源５０とからなる。超音波スプレー１０は、ケース体６０内に設けられるとともに、超音波スプレー１０のスプレー口１５０はケース体６０の表面に位置する。超音波振動ヘラ２０は、ケース体６０と結合されるとともに一部がケース体６０の外に延伸する。電子回路基板３０は、ケース体６０内に設けられるとともに、電子回路基板３０の出力端は超音波スプレー１０及び超音波振動ヘラ２０と接続されて高周波振動信号を生じる。押しボタン４０は、ケース体６０上に設けられるとともに、電子回路基板３０と電気的に接続され、且つ押しボタン４０は超音波スプレー１０及び超音波振動ヘラ２０の作動のオンオフを制御する。電源５０は、ケース体６０内に設けられるとともに、電子回路基板３０と電気的に接続され、且つ作動に必要な電力を供給する。
【０００９】
上述したケース体６０内部には、水タンク７０が設けられる。水タンク７０の底部開口には、漏れ止め効果向上させるための第一密封リング１００が設けられ、更に水タンク７０の頂部開口には、頂部開口を密封するための密封カバー９０が設けられる。また、第一密封リング１００内には、霧化部品８０が嵌められる。霧化部品８０は、水タンク７０の底部端口に設けられるとともに、電路板３０の出力端と電気的に接続される。
【００１０】
上述に加え、ケース体６０は、底ケース１１０と、電気めっきケース１２０と、上蓋１３０と、水タンク蓋１４０とからなる。底ケース１１０と電気めっきケース１２０は、洗顔器の内部スペースを形成する。超音波スプレー１０・超音波振動ヘラ２０・電子回路基板３０・電源５０は、いずれも前記内部スペースに設けられる。上蓋１３０は、電気めっきケース１２０上に貼合されるとともに、上蓋１３０の一側にはスプレー口１５０が設けられる。スプレー口１５０と霧化部品８０の位置は互いに対応している。更に電気めっきケース１２０は、スプレー口１５０及び霧化部品８０と対応する位置に通孔が設けられることにより、霧化した液体が通孔から噴出する。水タンク蓋１４０は、底ケース１１０の端口に設けられるとともに、密封カバー９０の位置と対応する。密封カバー９０は、外側に第二密封リング１６０が嵌められる。押しボタン４０は、底ケース１１０上に設けられる。
【００１１】
超音波振動ヘラ２０は、ケース体６０内に設けられる。更に、超音波振動ヘラ２０は、電子回路基板３０の出力端と電気的に接続された複数の振動部品１７０と、振動部品１７０と固定されるとともに一部がケース体６０の外に延伸したヘラ部品１８０とからなる。また、電源５０は充電池であり、電子回路基板３０には充電接続口が設けられ、更にケース体６０における充電接続口と対応する位置には開口が設けられる。
【００１２】
上述した本考案の構造についての説明を踏まえ、本考案の長所をより明確にするため、操作及び動作原理を以下で説明する。
【００１３】
電源を入れた状態で初めに押しボタン４０を押した時（一度目の押下）、スプレー起動信号が生じる。電子回路基板３０は、スプレー起動信号を受信した後、高周波振動信号を生じて超音波スプレー１０へと送る。これにより、超音波スプレー１０の霧化部品８０が高周波の超音波を生じ、超音波によって水タンク７０内の液体の水が霧化されてスプレー噴射される。以上により、使用者は顔の洗浄を行うことができる。
【００１４】
上述のスプレー洗浄の動作が一定時間行われた後、もう一度押しボタン４０を押すと（二度目の押下）、ヘラ振動信号が生じ、同時にスプレー噴射が停止する。電子回路基板３０は、ヘラ振動信号を受信した後、超音波スプレー１０へ高周波振動信号を送るのを停止し、超音波振動ヘラ２０の振動部品１７０へ高周波振動信号を送り始める。振動部品１７０は、高周波で振動するとともに、固定接続されたヘラ部品１８０を連動して共に振動させ、超音波を生じる。この時、ヘラ部品１８０を顔に直接当てて顔の汚れを擦り落とすことができる。
【００１５】
上述の擦り落としの動作が一定時間行われた後、再び押しボタン４０を押すと（三度目の押下）、閉止信号が生じ、洗顔器が作動を停止する。以上のように一連の動作サイクルが完了する。尚、前述した二回の洗浄時間（スプレー洗浄モード及び振動洗浄モード）は、使用者自身が制御することができる。即ち使用者は、押しボタン４０を押して、超音波スプレー１０及び超音波振動ヘラ２０の洗浄中の作動時間を制御することが可能である。
【００１６】
本考案の超音波洗顔器は、下記の点において従来技術を改善することができる。即ち、超音波スプレー１０と超音波振動ヘラ２０を組合わせて、スプレーによる顔の洗浄と物理的手段による顔の汚れの擦り落としが可能となるため、機能統合と良好な洗浄効果という長所を備える。
【符号の説明】
【００１７】
１０   超音波スプレー
２０   超音波振動ヘラ
３０   電子回路基板
４０   押しボタン
５０   電源
６０   ケース体
７０   水タンク
８０   霧化部品
９０   密封カバー
１００ 第一密封リング
１１０ 底ケース
１２０ 電気めっきケース
１３０ 上蓋
１４０ 水タンク蓋
１５０ スプレー口
１６０ 第二密封リング
１７０ 振動部品
１８０ ヘラ部
【図１】
0003197159.tif 000003
【図２】
0003197159.tif 000004
【図３】
0003197159.tif 000005
【図４】
0003197159.tif 000006
【図５】
0003197159.tif 000007